【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
ｐＨが２から３である連続的に流れる溶液のシュウ酸カルシウムスケール形成性向を測定する方法であって、溶液と接触する作用電極を備える上面と、溶液から離間された底面とを備える水晶微量天秤上への、溶液からのシュウ酸カルシウムスケールの堆積速度を測定することを含み、微量天秤近傍の溶液のｐＨは、３．５から９に電気化学的に制御され、微量天秤近傍で３．５から９のｐＨを得るために必要な電位よりも更に負の電位で激しい水素の放出が起こる導電材料で、作用電極がコーティング或は形成されている方法。
【請求項２】
作用電極が、銀、鉛、カドミウム、イオン注入された又はされていないダイヤモンド状薄膜電極、チタン、ニオブおよびタンタルのケイ化物、鉛−セレン合金、および水銀アマルガムから選択される１以上の導電材料によって形成或はコーティングされている、請求項１に記載の方法。
【請求項３】
作用電極が、銀によって形成或はコーティングされている、請求項２に記載の方法。
【請求項４】
作用電極が、銀でコーティングされたチタンによって形成されている、請求項３に記載の方法。
【請求項５】
銀−塩化銀参照電極に対して−０．５から−２．０Ｖの電位を、作用電極に与えることによって、微量天秤の表面近傍の溶液のｐＨが制御される、請求項１乃至４いずれかに記載の方法。
【請求項６】
−０．０５から−１０ｍＡ／ｃｍ2の陰極電流を作用電極に与えることによって、微量天秤の表面近傍の溶液のｐＨが制御される、請求項１乃至５いずれかに記載の方法。
【請求項７】
微量天秤の表面近傍の溶液のｐＨは、ｐＨ電極上に配置されたメッシュ電極を備える表面ｐＨ測定モジュールを使用して測定され、メッシュ電極が、作用電極と同じ材料によって形成されていることを特徴とする、請求項１乃至６いずれかに記載の方法。
【請求項８】
微量天秤の表面近傍の溶液のｐＨは、水晶微量天秤の表面上に蒸着されたｐＨ電極およびマイクロチップｐＨ電極から選択されるｐＨ測定装置を使用して測定される、請求項１乃至６いずれかに記載の方法。
【請求項９】
２から３のｐＨである溶液は、カルシウムイオンとシュウ酸イオンとを合わせた濃度が、１リットル当たり２０ミリグラムよりも大きい、請求項１乃至８いずれかに記載の方法。
【請求項１０】
２から３のｐＨである溶液がモデル溶液であり、モデル溶液は、溶液のｐＨが２から３であり且つカルシウムイオンとシュウ酸イオンとを合わせた濃度が１リットル当たり２０ミリグラムよりも大きくなるように、酸、およびカルシウムとシュウ酸のイオンを工程水に加えることによって調製される、請求項９に記載の方法。
【請求項１１】
２から３のｐＨである溶液がモデル溶液であり、モデル溶液は、溶液のｐＨが２から３であり且つカルシウムイオンとシュウ酸イオンとを合わせた濃度が１リットル当たり２０ミリグラムよりも大きくなるように、水、酸、及びカルシウムとシュウ酸のイオンを混合することによって調製される、請求項９に記載の方法。
【請求項１２】
シュウ酸カルシウムスケール抑制物質の効果を測定する方法であって、
ａ）溶液と接触する作用電極を備える上面と、溶液から離間された底面とを備える水晶微量天秤上への、溶液からのシュウ酸カルシウムスケールの堆積速度を測定することを含む、ｐＨが２から３である連続的に流れる溶液のシュウ酸カルシウムスケール形成性向を測定すること、ここで、微量天秤近傍の溶液のｐＨが、３．５から９に電気化学的に制御され、微量天秤近傍で３．５から９のｐＨを得るために必要な電位よりも更に負の電位で激しい水素の放出が起こる導電材料で、作用電極がコーティング或は形成されている、
ｂ）シュウ酸カルシウムスケール抑制物質を溶液に加えること、及び
ｃ）溶液から水晶微量天秤上へのシュウ酸カルシウムスケールの堆積速度を再測定すること
を含む方法。
【請求項１３】
ｐＨが２から３である連続的に流れる溶液のシュウ酸カルシウムスケール形成性向を測定するための装置であって、溶液に晒される作用電極を備える上面と、溶液から離間された底面とを有する水晶微量天秤を備え、微量天秤近傍の溶液のｐＨは、３．５から９に電気化学的に制御され、微量天秤近傍で３．５から９のｐＨを得るために必要な電位よりも更に負の電位で激しい水素の放出が起きる導電材料で、作用電極がコーティング或は形成されている装置。
【請求項１４】
作用電極が、銀、鉛、カドミウム、イオン注入された或はされていないダイヤモンド状薄膜電極、チタン、ニオブおよびタンタルのケイ化物、鉛−セレン合金、および水銀アマルガムから選択される１以上の導電材料によって形成或はコーティングされている、請求項１３に記載の装置。
【請求項１５】
作用電極が、銀によって形成或はコーティングされた、請求項１４に記載の装置。
【請求項１６】
作用電極が、銀でコーティングされたチタンによって形成された、請求項１５に記載の装置。
【請求項１７】
溶液と接触する表面ｐＨ測定モジュールを更に備え、ｐＨ測定電極アッセンブリは、ｐＨ電極上に配置されたメッシュ電極を備え、メッシュ電極は、作用電極と同じ材料によって形成されている、請求項１３に記載の装置。
【請求項１８】
ｐＨが２から３である連続的に流れる溶液のシュウ酸カルシウムスケール形成性向を測定するための装置であって、攪拌手段を有する測定セルを備えることを特徴とし、測定セルには、
ａ）溶液に晒される作用電極を備える上面と、溶液から離間された底面とを有する水晶微量天秤と、
ｂ）溶液と接触する表面ｐＨ測定モジュールであって、ｐＨ測定電極アッセンブリはｐＨ電極上に配置されたメッシュ電極を備え、メッシュ電極が作用電極と同じ材料によって形成されている、表面ｐＨ測定モジュールと、
ｃ）溶液に晒される２つの参照電極と、
ｄ）溶液に晒される２つの対向電極と、
が装着され、
水晶微量天秤および表面ｐＨ測定モジュールは、水平且つ対向する方向に装着され、２つの対向電極は、垂直に向けて装着され且つ水晶微量天秤および表面ｐＨ測定モジュールから等しい距離で下流側に配置され、参照電極は、垂直に向けて装着され且つ各対向電極から等しい距離で下流側に配置され、表面ｐＨ測定モジュールおよび水晶微量天秤の作用電極は、微量天秤近傍で３．５から９のｐＨを得るために必要な電位よりも更に負の電位で激しい水素の放出が起こる導電材料でコーティング或は形成された装置。
【請求項１９】
攪拌手段が、インペラ、機械的なパドル攪拌器、攪拌バーを有する磁気回転装置から選択された、請求項１８に記載の装置。
【請求項２０】
表面ｐＨ測定モジュールおよび水晶微量天秤の作用電極が、銀、鉛、カドミウム、イオン注入された或はされていないダイヤモンド状薄膜電極、チタン、ニオブおよびタンタルのケイ化物、鉛−セレン合金、水銀アマルガムから選択される１以上の導電材料によって形成、或はコーティングされている、請求項１８又は１９に記載の装置。
【請求項２１】
表面ｐＨ測定モジュールおよび水晶微量天秤の作用電極が、銀によって形成、或はコーティングされている、請求項２０に記載の装置。
【請求項２２】
表面ｐＨ測定モジュールおよび水晶微量天秤の作用電極が、銀でコーティングされたチタンによって形成されている、請求項２１に記載の装置。
【手続補正２】
【補正対象書類名】明細書
【補正対象項目名】０００４
【補正方法】変更
【補正の内容】
【０００４】
しかしながら、多くの同等に重要な問題は、スケールで汚染された水の利用によって生じる。例えば、工程水のための、搬送ラインおよび収納容器の表面上のスケール堆積物は、遊離して、工程水と共に運ばれ、工程水が通過する装置、例えばチューブ、弁、フィルタ、スクリーンを損傷させたり詰まらせたりする虞がある。また、これらの堆積物は、その工程によって得られる最終生成物、例えばパルプの懸濁液から形成される紙に現われて、質を低下させる。


【手続補正３】
【補正対象書類名】明細書
【補正対象項目名】００５６
【補正方法】変更
【補正の内容】
【００５６】
図３に示される連続流れシステムにおいて、試験液は、ガラスまたはプラスチックの漏斗状容器（１４）内に蓄えられて熱的に調整される。ポンプ（１５）は、漏斗状容器（１４）からの溶液を、流量を制御する弁（１６）および流量計（１７）を経由して送り、更に、入口チャンネル（１８）を経由して、測定セル（１９）内に供給する。この、溶液は、チューブ（２１）を経由してセルから排出される。例えば工業プロセスのサイドフローからの試験液を外部から流入させることができるように、連続流れシステムを変更しても良い。


【手続補正４】
【補正対象書類名】明細書
【補正対象項目名】００５７
【補正方法】変更
【補正の内容】
【００５７】
図３の符号（２０）は、測定セル（１９）に、表面ｐＨ測定モジュール（３）または水晶微量天秤アッセンブリ（３６）を取り付けることができる、測定セル（１９）における位置を示している。


【手続補正５】
【補正対象書類名】明細書
【補正対象項目名】００６７
【補正方法】変更
【補正の内容】
【００６７】
ここで説明したように、この発明の方法を使用した最適な結果は、バルク溶液ｐＨが約２から約３であり且つ最適な濃度のカルシウムイオンおよびシュウ酸イオンを溶液が含んでいる場合、好ましくは、カルシウムイオンとシュウ酸イオンとを合わせた濃度が１リットル当たり約２０ミリグラムよりも高い場合に得られる。したがって、カルシウムイオンおよびシュウ酸イオンの濃度およびｐＨが適切なモデル溶液を使用することにより、試験プロセスの効率を高めることができる。この場合、前記モデル溶液は、装置の測定セル内に導入される前に作られ得る。これらのモデル溶液は、工程水のｐＨ、およびカルシウムとシュウ酸のイオン濃度を調整することによって、あるいは、水と、ＨＣｌ水溶液等の酸性水溶液と、シュウ酸ナトリウムや塩化カルシウム二水和物といったカルシウムとシュウ酸のイオン源とを混合することによって作られ得る。シュウ酸カルシウムスケール抑制物質を選別するために、１以上の所定量の抑制物質がモデル溶液に加えられても良い。